(57)【特許請求の範囲】
【請求項１】
第１スピーカを有する楽器本体と、
前記楽器本体に対して着脱自在に設けられた第２スピーカと、
前記第１スピーカのみを使用する第１スピーカ使用モード、および前記第１および第２のスピーカの両方を使用する両スピーカ使用モードの一方を、スピーカ使用モードとして選択する選択手段と、
前記第１スピーカ使用モード時および前記両スピーカ使用モード時の音響特性をそれぞれ設定するための、互いに異なる第１および第２の音響特性係数を記憶する記憶手段と、を備え、
前記第１音量特性係数は、前記第２スピーカで再生されるべき音域の音響特性を補うように設定されており、
前記記憶された第１および第２の音響特性係数のうち、前記選択手段により選択されたスピーカ使用モードに応じた音響特性係数を読み出す読出手段と、
当該読み出された音響特性係数に基づいて、前記スピーカで再生するための楽音信号を生成する楽音信号生成手段と、
をさらに備えていることを特徴とする電子楽器の音響制御装置。
【請求項２】
前記選択手段は、前記スピーカ使用モードを選択するために演奏者によって操作されるスイッチであることを特徴とする、請求項１に記載の電子楽器の音響制御装置。
【請求項３】
前記選択手段は、
前記楽器本体に前記第２スピーカが取り付けられているか否かを検出する検出手段と、
当該検出手段の検出結果に応じ、前記第２スピーカが取り付けられていないときに、前記スピーカ使用モードを前記第１スピーカ使用モードに自動的に設定し、前記第２スピーカが取り付けられているときに、前記スピーカ使用モードを前記両スピーカ使用モードに自動的に設定する設定手段と、
を有することを特徴とする、請求項１に記載の電子楽器の音響制御装置。
【請求項４】
前記第２スピーカが低音域再生用のスピーカであることを特徴とする、請求項１ないし３のいずれかに記載の電子楽器の音響制御装置。
【請求項５】
前記第２スピーカの音量を前記第１スピーカの音量と独立して設定する音量設定手段をさらに備えることを特徴とする、請求項１ないし４のいずれかに記載の電子楽器の音響制御装置。
【請求項６】
前記第２スピーカが、前記楽器本体に着脱自在に設けられ且つ当該楽器本体を支持するスタンドに配置されていることを特徴とする、請求項１ないし５のいずれかに記載の電子楽器の音響制御装置。
【発明の詳細な説明】
【０００１】
【発明の属する技術分野】
本発明は、楽器本体およびこれに対して着脱自在のスピーカを備えた電子楽器の音響特性を制御する電子楽器の音響制御装置に関する。
【０００２】
【従来の技術】
従来の電子楽器、例えば電子ピアノでは一般に、ピアノ本体とスタンドが一体に構成されている。その場合、スピーカについては、ピアノ本体だけに配置するタイプと、ピアノ本体およびスタンドの両方に異なる音域用のものを配置するタイプがあり、後者のタイプでは、両スピーカを用いることを前提とし、スピーカシステム全体として最適な音響特性が得られるような音響設計が行われる。また、最近の電子ピアノとして、コンパクトなピアノ本体にスピーカを内蔵するとともに、ピアノ本体に対してスタンドを着脱自在に構成したポータブルタイプのものが知られている。このポータブルタイプの電子ピアノは、ピアノ本体を場所を取らずに持ち運べるとともに、スピーカを内蔵していることで、運搬先でピアノ本体だけで演奏を行えるという利点がある。
【０００３】
【発明が解決しようとする課題】
しかし、上述した従来のポータブルタイプの電子ピアノでは、ピアノ本体のケースの内部容積の制約から、内蔵されるスピーカの口径を大きくできず、その数も増やせないため、特に低音の迫力が不足がちになるなど、良好な音響特性を得にくいという欠点がある。この欠点を解消するために、例えば、前述したスタンド一体タイプにおけるスピーカシステムを用い、スタンド側に低音域用のスピーカを配置することによって、低音域成分を出力し、増強することが考えられる。しかし、その場合には、両スピーカを含むスピーカシステム全体として最適な音響設計がなされているため、運搬先でピアノ本体だけで演奏を行ったときに、スタンド側のスピーカから本来、出力されるべき低音域成分が無くなり、ピアノ本体側のスピーカから中音域／高音域成分だけが出力されることで、音響的なバランスがくずれてしまい、良好な音響特性を得ることができない。
【０００４】
本発明は、このような課題を解決するためになされたものであり、第１スピーカを有する楽器本体に対して着脱自在の第２スピーカを備えたタイプの電子楽器において、楽器本体に第２スピーカが取り付けられている場合、および取り付けられていない場合のいずれにおいても、最適な音響特性を得ることができる電子楽器の音響制御装置を提供することを目的とする。
【０００５】
【課題を解決するための手段】
この目的を達成するため、本発明の電子楽器の音響制御装置は、第１スピーカを有する楽器本体と、楽器本体に対して着脱自在に設けられた第２スピーカと、第１スピーカのみを使用する第１スピーカ使用モード、および第１および第２のスピーカの両方を使用する両スピーカ使用モードの一方を、スピーカ使用モードとして選択する選択手段と、第１スピーカ使用モード時および両スピーカ使用モード時の音響特性をそれぞれ設定するための、互いに異なる第１および第２の音響特性係数を記憶する記憶手段と、を備え、第１音量特性係数は、第２スピーカで再生されるべき音域の音響特性を補うように設定されており、記憶された第１および第２の音響特性係数のうち、選択手段により選択されたスピーカ使用モードに応じた音響特性係数を読み出す読出手段と、読み出された音響特性係数に基づいて、前記スピーカで再生するための楽音信号を生成する楽音信号生成手段と、をさらに備えていることを特徴とする。
【０００６】
この電子楽器では、楽器本体が第１スピーカを有するとともに、楽器本体に対して第２スピーカが着脱自在に設けられている。また、この音響制御装置によれば、第１スピーカのみを使用する第１スピーカ使用モード用の第１音響特性係数と、第１および第２のスピーカを同時に使用する両スピーカ使用モード用の第２音響特性係数が、互いに異なるようにあらかじめ別個に設定され、記憶されている。第１音量特性係数は、第２スピーカで再生されるべき音域の音響特性を補うように設定されている。そして、選択手段により、第１スピーカ使用モードまたは両スピーカ使用モードが選択されると、選択されたスピーカ使用モードに応じた音響特性係数が読み出され、この音響特性係数に基づいて、使用するスピーカで再生すべき楽音信号が生成される。
【０００７】
以上のように、第１スピーカ使用モードが選択されたときには、第１音響特性係数に基づいて、第１スピーカで再生すべき楽音信号が生成され、両スピーカ使用モードが選択されたときには、第２音響特性係数に基づいて、第１および第２のスピーカで再生すべき楽音信号が生成される。したがって、第１および第２の音響特性係数を、それぞれ第１スピーカ使用モードおよび両スピーカ使用モードにおいて最適な音響特性が得られるようにあらかじめ設定することによって、楽器本体に第２スピーカが取り付けられている場合、および取り付けられていない場合のいずれにおいても、最適な音響特性を得ることができる。特に、本発明においては、第１スピーカ使用モード用の第１音響特性係数が、第２スピーカで再生されるべき音域の音響特性を補うように設定されているので、この音域の音響特性を補いながら、第１スピーカのみによる再生時にも、最適な音響特性を得ることができる。
【０００８】
この場合、選択手段は、スピーカ使用モードを選択するために演奏者によって操作されるスイッチであることが好ましい。
【０００９】
この構成によれば、演奏者がスイッチを操作することによって、第１または第２の音響特性係数に基づく所望の音響特性を自由に選択することができる。この場合、第２スピーカが取り付けられている場合に両スピーカ使用モードを選択するとともに、第２スピーカが取り付けられていない場合に第１スピーカ使用モードを選択するという通常の設定を行うことによって、最適な音響特性が得られる。また、これは逆の設定を行うことも可能であり、それにより、演奏者の好みや演奏場所の環境などに応じた音響特性を得ることができる。
【００１０】
あるいは、選択手段は、楽器本体に第２スピーカが取り付けられているか否かを検出する検出手段と、検出手段の検出結果に応じ、第２スピーカが取り付けられていないときに、スピーカ使用モードを第１スピーカ使用モードに自動的に設定し、第２スピーカが取り付けられているときに、スピーカ使用モードを両スピーカ使用モードに自動的に設定する設定手段と、を有することが好ましい。
【００１１】
この構成によれば、楽器本体への第２スピーカの取付けの有無を検出し、その検出結果に応じ、スピーカ使用モードを、第２スピーカが有るときには第１スピーカ使用モードに、第２スピーカが無いときには両スピーカ使用モードに、それぞれ自動的に設定する。したがって、演奏者の操作をまったく必要とすることなく、スピーカ使用モードを適切に自動設定でき、第２スピーカの有無に応じた最適な音響特性を容易に得ることができる。
【００１２】
これらの場合、第２スピーカが低音域再生用のスピーカであることが好ましい。
【００１３】
この構成では、楽器本体側の第１スピーカだけでは不足しがちになる低音域成分を、第２スピーカで有効に増強できる。したがって、両スピーカ使用モードにおいて、十分な低音域成分を含む最適な音響特性を得ることができる。
【００１４】
さらにこれらの場合、第２スピーカの音量を第１スピーカの音量と独立して設定する音量設定手段をさらに備えることが好ましい。
【００１５】
この構成では、両スピーカ使用モードにおいて、スピーカシステム全体の音量がそのときの音響特性に最適なバランスに設定されている状態で、さらに、音量設定手段により、第２スピーカの音量のみを調整することによって、演奏者の好みや演奏場所の環境などに応じた音量バランスを得ることができる。
【００１６】
さらにこれらの場合、第２スピーカが、楽器本体に着脱自在に設けられ且つ楽器本体を支持するスタンドに配置されていることが好ましい。
【００１７】
この構成では、スタンドが楽器本体に着脱自在に設けられることで、電子楽器は、楽器本体のみを持運び可能なポータブルタイプとして構成される。また、スタンド側は楽器本体側よりもスペースに余裕があるので、このスペースを有効に活用しながら、第２スピーカとして、例えば大型のものも容易に配置できるなど、そのレイアウトを容易に行うことができる。
【００１８】
【発明の実施の形態】
以下、本発明の好ましい実施形態を、図面を参照しながら、詳細に説明する。図１は、本発明による音響制御装置を適用した電子ピアノを示している。この電子ピアノ１は、ピアノ本体２（楽器本体）およびこれを支持するスタンド３を備え、さらにペダル４や譜面立て５などを有している。スタンド３はピアノ本体２に、左右のねじ（図示せず）などで着脱自在に取り付けられている。すなわち、この電子ピアノ１は、ピアノ本体２をスタンド３から取り外して持ち運べるポータブルタイプのものである。
【００１９】
ピアノ本体２の前部には、多数の鍵盤６が左右方向に並んで配置され、後部には、操作パネル７が配置されている。各鍵盤６は、鍵６ａと、各鍵６ａの押鍵／離鍵により開閉（ＯＮ／ＯＦＦ）される鍵スイッチ（図示せず）で構成されている。図２に示すように、操作パネル７には、電源スイッチ（図示せず）、マスターボリューム８、各種のスイッチ９および表示器１０などが設けられている。マスターボリューム８は、電子ピアノ１の全体音量を設定するものである。スイッチ９は、左側から順に、デモ演奏スイッチ９ａ、多数の音色選択スイッチ９ｂ、後述するスピーカ使用モードを選択する選択手段としてのスタンド有スイッチ９ｃおよびスタンド無スイッチ９ｄや、テンポスイッチ９ｅなどで構成されている。また、表示器１０は、液晶などで構成され、マスターボリューム８やスイッチ９の設定状態などを表示する。
【００２０】
操作パネル７の左右には、小型の高音域再生用のスピーカ（以下「高音用スピーカ」という）１１Ｌ、１１Ｒが設けられ、また、ピアノ本体２の背面の左右には、小型の中音域再生用のスピーカ（以下「中音用スピーカ」という）１２Ｌ、１２Ｒが設けられている（図４参照）。すなわち、本実施形態では、これらの高音用および中音用スピーカ１１Ｌ、１１Ｒ、１２Ｌ、１２Ｒによって、ピアノ本体２側の第１スピーカが構成されている。
【００２１】
一方、スタンド３は、左右方向に延びる背板１３と、その両端部から下方に延びる左右の脚板１４、１４とを一体に組み立てたものである。背板１３の前面には、中音用スピーカ１２Ｌ、１２Ｒなどよりも大きな口径の低音域再生用のスピーカ（ウーファ、以下「低音用スピーカ」という）１５が、第２スピーカとして設けられている。また、低音用スピーカ１５の付近には、その音量のみをマスターボリューム８とは独立して設定するためのウーファボリューム１６が設けられている。なお、低音用スピーカ１５とピアノ本体２側との接続は、ピアノ本体２およびスタンド３の背面にそれぞれ設けたウーファジャック１７、１８（図４参照）間を、コネクタケーブル（図示せず）で接続することによって行われる。
【００２２】
図３は、電子ピアノ１の発音を制御するための回路構成を示している。まず、操作パネル７の電源スイッチや各種スイッチ９の設定状態は、パネルスキャン回路１９で検出され、パネルスイッチデータとして、システムバスＳＢを介してＣＰＵ２０に送られる。また、鍵盤６の鍵スイッチのＯＮ／ＯＦＦ状態は鍵盤スキャン回路２１で検出され、そのＯＮ／ＯＦＦ情報、ノートナンバー、およびベロシティを表すタッチデータが、押鍵情報データとして、鍵盤スキャン回路２１からシステムバスＳＢを介してＣＰＵ２０に送られる。また、ピアノ本体２側のウーファジャック１７には、コネクタケーブルのジャックが差し込まれているか否かを検出するウーファスイッチ１７ａ（検出手段）が内蔵されており、その検出信号ＷＪはＣＰＵ２０に送られる。同様に、ＣＰＵ２０には、後述するヘッドホンジャック３２に内蔵されたヘッドホンスイッチ３２ａから、ヘッドホン（図示せず）のジャックの差込みの有無を表す検出信号ＨＰＪが送られる（図４参照）。
【００２３】
また、ＲＡＭ２２は、電子ピアノ１の動作状態を表すステータス情報などを一時的に記憶するとともに、ＣＰＵ２０の作業用領域として用いられる。ＲＯＭ２３は、ＣＰＵ２０で実行される制御プログラムや、ＣＰＵ２０での演算に使用される、後述の周波数特性曲線を含む固定データなどを記憶している。ＲＡＭ２２およびＲＯＭ２３は、ＣＰＵ２０によりシステムバスＳＢを介してアクセスされる。
【００２４】
ＣＰＵ２０は、電子ピアノ１の各部を制御するものであり、パネルスキャン回路１９からのパネルスイッチデータ、鍵盤スキャン回路２１からの押鍵情報データ、さらにはウーファスイッチ１７ａの検出信号ＷＪなどに応じ、上記制御プログラムに従って、発生すべき楽音の周波数特性や出力レベルを演算し、その演算結果に基づく制御信号を音源回路２４およびＤＳＰ２６に出力する。
【００２５】
音源回路２４は、ＣＰＵ２０から出力された制御信号に従って、原音波形メモリ２５から原音波形データを読み出し、これにエンベロープを乗算して２系統のデジタルの楽音信号を生成し、ＤＳＰ（degital signal processor）２６に出力する。このＤＳＰ２６は、周波数特性調整回路２６ａおよびエフェクト回路２６ｂを備えている。周波数特性調整回路２６ａは、ＣＰＵ２０により後述するようにして決定された周波数特性に基づいて、楽音信号の周波数特性を調整する。また、エフェクト回路２６ｂは、ＣＰＵ２０からの制御信号に従って、リバーブやコーラスなどの音響効果を楽音信号に付与する。
【００２６】
ＤＳＰ２６から出力された左右のチャンネル用の楽音信号は、Ｄ／Ａ変換器２２７でアナログ信号に変換された後、メインアンプ２８Ｌ、２８Ｒ、およびヘッドホンアンプ３０Ｌ、３０Ｒにそれぞれ送られるとともに、低音用スピーカ１５用のミキシングアンプ３３に送られる。
【００２７】
メインアンプ２８Ｌ、２８Ｒで増幅された音声信号はそれぞれ、リレー２９Ｌ、２９Ｒを介して、高音用スピーカ１１Ｌ、１１Ｒおよび中音用スピーカ１２Ｌ、１２Ｒに送られ、再生される。また、ヘッドホンアンプ３０Ｌ、３０Ｒで増幅された音声信号はそれぞれ、ラインアウトジャック３１Ｌ、３１Ｒと、ヘッドホンジャック３２に送られる。
【００２８】
さらに、ミキシングアンプ３３でミキシングされた音声信号は、プリアンプ３４で増幅された後、ウーファジャック１７に送られる。ウーファジャック１７にスタンド３側のウーファジャック１８が接続されているときには、音声信号はさらに、ウーファジャック１８およびローパスフィルタ３５を介して、パワーアンプ３６に送られ、ウーファボリューム１６の音量設定に応じて増幅された後、低音用スピーカ１５に送られ、再生される。
【００２９】
図５は、ＣＰＵ２０で実行される制御処理のメインルーチンを示す。この処理では、電源スイッチがＯＮされると、ステップ１（「Ｓ１」と図示。以下同じ）において、ＲＡＭ２２に記憶されていたデータを初期化するなどの初期設定を行う。次いで、パネルスキャン回路１９からのパネルスイッチデータに応じて、パネル処理を行う（ステップ２）。このパネル処理については後述する。次に、鍵盤スキャン回路２１からの押鍵情報データに応じて、鍵盤処理を行う（ステップ３）。次いで、ＭＩＤＩデータの送信／受信処理を行った（ステップ４）後、その他の処理を行う（ステップ５）。以上のステップ２〜５の処理は、電源スイッチがＯＦＦされるまで、繰り返し実行される。
【００３０】
図６は、図２のステップ２で実行されるパネル処理のサブルーチンを示す。この処理ではまず、スタンド有スイッチ９ｃがＯＮされたか否かを判別する（ステップ１１）。この答がＹＥＳのとき、すなわち、演奏者が、ピアノ本体２側の高・中音用スピーカ１１Ｌ、１１Ｒ、１２Ｌ、１２Ｒに加えて、スタンド３側の低音用スピーカ１５を同時に使用するモード（両スピーカ使用モード）を指定しているときには、ＲＯＭ２３に記憶されている周波数特性曲線から、両スピーカ使用モード用のスタンド有係数Ｇ２（第２音響特性係数）を読み出し、ＤＳＰ２６の周波数特性調整回路２６ａに送る（ステップ１２）。周波数特性調整回路２６ａは、このスタンド有係数Ｇ２に基づいて、楽音信号の周波数特性を調整する。
【００３１】
図７に示すように、周波数特性曲線は、周波数ｆに対するゲインを係数Ｇとして定めたものである。このうち、同図に実線で示すスタンド有係数Ｇ２は、高・中音用スピーカ１１Ｌ、１１Ｒ、１２Ｌ、１２Ｒおよび低音用スピーカ１５で構成されるスピーカシステム全体として、最適な音響特性が得られるように設定されている。例えば、両スピーカ使用モードでは、低音用スピーカ１５が併用されることで、低音域成分を余裕をもって十分に再生できることから、同図の例では、スタンド有係数Ｇ２は、低音域が比較的フラットに設定されている。
【００３２】
図６に戻り、前記ステップ１１の答がＮＯのとき、または上記ステップ１２を実行した後には、スタンド無スイッチ９ｄがＯＮされたか否かを判別する（ステップ１３）。この答がＹＥＳのとき、すなわち、演奏者が、低音用スピーカ１５を使用せずに、ピアノ本体２側の高・中音用スピーカ１１Ｌ、１１Ｒ、１２Ｌ、１２Ｒのみを使用するモード（第１スピーカ使用モード）を指定しているときには、周波数特性曲線から、図７に破線で示す、第１スピーカ使用モード用のスタンド無係数Ｇ１（第１音響特性係数）を読み出し、ＤＳＰ２６の周波数特性調整回路２６ａに送る（ステップ１４）。
【００３３】
このスタンド無係数Ｇ１は、低音用スピーカ１５を除くピアノ本体２側のスピーカシステム全体として、最適な音響特性が得られるように設定されている。例えば、第１スピーカ使用モードでは、低音用スピーカ１５が使用されないことで、低音域成分が再生されにくく不足がちになることから、図７の例では、スタンド無係数Ｇ１は、低音域成分を補うようにするために、スタンド有係数Ｇ２よりも低音域が高めに設定されている。
【００３４】
図６に戻り、前記ステップ１３の答がＮＯのとき、または上記ステップ１４を実行した後には、その他のパネル処理を行う（ステップ１５）。その後、前記ステップ１１に戻り、上記の処理が繰り返し実行される。
【００３５】
以上のように、本実施形態によれば、スタンド有スイッチ９ｃがＯＮされ、両スピーカ使用モードが指定されたときには、上述したように設定されたスタンド有係数Ｇ２に基づいて、高・中音用スピーカ１１Ｌ、１１Ｒ、１２Ｌ、１２Ｒおよび低音用スピーカ１５で再生すべき楽音信号の周波数特性が調整される。一方、スタンド無スイッチ９ｄがＯＮされ、第１スピーカ使用モードが指定されたときには、スタンド有係数Ｇ２とは異なるように設定されたスタンド無係数Ｇ１に基づいて、高・中音用スピーカ１１Ｌ、１１Ｒ、１２Ｌ、１２Ｒで再生すべき楽音信号の周波数特性が調整される。したがって、ピアノ本体２にスタンド３が取り付けられている場合、および取り付けられていない場合のいずれにおいても、最適な音響特性を得ることができる。
【００３６】
また、スタンド３および低音用スピーカ１５の有無に応じて、演奏者がスタンド有スイッチ９ｃまたはスタンド無スイッチ９ｄをＯＮすることによって、それぞれのスピーカ使用モードにおいて最適な音響特性を容易に得ることができる。また、これとは逆の設定を行うことも可能であり、それにより、演奏者の好みや演奏場所の環境などに応じた所望の音響特性を得ることができる。
【００３７】
さらに、ピアノ本体２よりもスペースに余裕のあるスタンド３側に、大口径の低音用スピーカ１５が配置されているので、スタンド側３のスペースを有効に活用しながら、十分な低音域成分を含む最適な音響特性を得ることができる。また、スピーカシステム全体の音量を設定するマスターボリューム８とは別個に、低音用スピーカ１５のみの音量を独立して設定するウーファボリューム１６が設けられている。したがって、スピーカシステム全体の音量を、マスターボリューム８により、そのときの音響特性に最適なバランスに設定した状態で、さらに、ウーファボリューム１６によって、低音用スピーカ１５の音量のみを調整することによって、演奏者の好みや演奏場所の環境などに応じた音量バランスを得ることができる。
【００３８】
図８は、本発明の第２実施形態によるスピーカ使用モードの決定処理を示すフローチャートである。この処理ではまず、ウーファスイッチ１７ａがＯＮ状態にあるか否か、すなわちウーファジャック１７にコネクタケーブルのジャックが差し込まれているか否かを判別する（ステップ２１）。この答がＹＥＳのときには、ピアノ本体２にスタンド３が取り付けられ、低音用スピーカ１５が接続されているとして、スピーカ使用モードを両スピーカ使用モードに設定し、周波数特性曲線からスタンド有係数Ｇ２を読み出す（ステップ２２）。一方、前記ステップ２１の答がＮＯのときには、スタンド３が取り付けられておらず、低音用スピーカ１５が接続されていないとして、スピーカ使用モードを第１スピーカ使用モードに設定し、スタンド無係数Ｇ１を読み出す（ステップ２３）。
【００３９】
以上のように、本実施形態では、スタンド３および低音用スピーカ１５の有無をウーファスイッチ１７ａで検出し、その検出結果に応じて、スタンド有係数Ｇ２またはスタンド無係数Ｇ１を読み出すので、演奏者の操作をまったく必要とすることなく、スピーカ使用モードを適切に自動設定でき、低音用スピーカ１５の有無に応じた最適な音響特性を容易に得ることができる。
【００４０】
なお、第１実施形態のスタンド有・無スイッチ９ｃ、９ｄによるスピーカ使用モードの指定と、第２実施形態によるスピーカ使用モードの自動設定とを併用し、両者のいずれかによるかを演奏者が選択できるようにしてもよい。例えば、自動設定禁止スイッチを操作パネル７に設け、この自動設定禁止スイッチが操作されたときに、スピーカ使用モードの自動設定を禁止し、スタンド有・無スイッチ９ｃ、９ｄによる指定を優先させるようにしてもよく、それにより、演奏者の好みを優先した音響特性を実現することができる。
【００４１】
図９は、本発明の変形例による音響制御装置の回路構成を部分的に示している。すなわち、前述した実施形態では、低音用スピーカ１５の音量を設定するウーファボリューム１６がスタンド３側に配置されているのに対し、この変形例は、ウーファボリューム１６をピアノ本体２側に、例えばマスターボリューム８とともに操作パネル７に配置したものである。したがって、演奏者は、実施形態の場合と異なり、ウーファボリューム１６を操作するためにスタンド側に手を伸ばす必要がなくなり、両ボリューム８、１６を操作パネル７上で容易に操作することができる。
【００４２】
なお、本発明は、説明した実施形態に限定されることなく、種々の態様で実施することができる。例えば、説明した実施形態では、低音用スピーカ１５を、ピアノ本体２に対して着脱自在のスタンド３に配置しているが、これをピアノ本体２に直接、着脱自在に取り付けるようにしてもよい。また、スタンド３の有無を検出する検出手段として、ウーファジャック１７へのコネクタジャックのジャックの差し込み状態を検出するウーファスイッチ１７ａを用いているが、これに限らず、例えばピアノ本体２とスタンド３を連結するねじの有無を検出するものでもよい。さらに、実施形態は、本発明を電子ピアノに適用した例であるが、本発明は、これに限らず、他の適当な電子楽器、例えば電子オルガンなどに適用することも、もちろん可能である。その他、本発明の趣旨の範囲内で、細部の構成を適宜、変更することができる。
【００４３】
【発明の効果】
以上詳述したように、本発明の電子楽器の音響制御装置は、第１スピーカを有する楽器本体に対して着脱自在の第２スピーカを備えたタイプの電子楽器において、楽器本体に第２スピーカが取り付けられている場合、および取り付けられていない場合のいずれにおいても、最適な音響特性を得ることができるなどの効果を有している。
【図面の簡単な説明】
【図１】本発明による音響制御装置を適用した電子ピアノを示す斜視図である。
【図２】電子ピアノの操作パネルの部分平面図である。
【図３】電子ピアノの発音を制御するための回路構成を示す図である。
【図４】図３の回路構成の残りの部分を示す図である。
【図５】図３のＣＰＵで実行される制御処理のメインルーチンを示すフローチャートである。
【図６】図５のパネル処理のサブルーチンを示すフローチャートである。
【図７】周波数特性曲線を示す図である。
【図８】本発明の第２実施形態によるスピーカ使用モードの決定処理を示すフローチャートである。
【図９】変形例を示す、図４に対応する回路構成図である。
【符号の説明】
１  電子ピアノ
２  ピアノ本体（楽器本体）
３  スタンド
９ｃ  スタンド有スイッチ（スイッチ）
９ｄ  スタンド無スイッチ（スイッチ）
１１Ｌ、１１Ｒ  高音用スピーカ（第１スピーカ）
１２Ｌ、１２Ｒ  中音用スピーカ（第１スピーカ）
１５  低音用スピーカ（第２スピーカ）
１６  ウーファボリューム（音量設定手段）
１７ａ  ウーファスイッチ（検出手段）
２０  ＣＰＵ（読出手段、設定手段）
２３  ＲＯＭ（記憶手段）
２６ａ  周波数特性調整回路（楽音信号生成手段）
Ｇ１  スタンド無係数（第１音響特性係数）
Ｇ２  スタンド有係数（第２音響特性係数）
【図１】
0003929817.tif 000002
【図２】
0003929817.tif 000003
【図３】
0003929817.tif 000004
【図４】
0003929817.tif 000005
【図５】
0003929817.tif 000006
【図６】
0003929817.tif 000007
【図７】
0003929817.tif 000008
【図８】
0003929817.tif 000009
【図９】
0003929817.tif 000010